(57)【要約】【課題】長時間使用しても手首が疲れにくい杖の提供。【解決手段】杖１０は、杖本体１１、脇当部１２及び石突部１３を備える。杖本体１１は、グリップ１６を備える。グリップ１６は、グリップ本体２３と被覆部材２４とを有する。グリップ本体２３は、杖本体１１の後方に突設されており、上方に角度θだけ傾斜している。この角度θは、０＜θ≦４５°である。被覆部材２４は、杖本体１１のグリップ本体２３が取り付けられた部位を被うように配置されている。被覆部材２４は、クロロプレンゴムにより構成されている。グリップ１６には、窪み部２９，３０が設けられている。【選択図】  図１
2004173916.tif 000002
【特許請求の範囲】
【請求項１】
歩行の際に使用者の脇が当接される脇当部が上端部に設けられた杖本体と、
杖本体に設けられ、歩行の際に使用者が把持するグリップとを備え、
グリップは、杖本体に対して歩行方向後方に突出するように突設されており、且つグリップの仮想軸線が歩行方向に対して角度θだけ上方に傾斜されており、
角度θは、０＜θ≦４５°（ｄｅｇｒｅｅ）である杖。
【請求項２】
上記杖本体のグリップが設けられた部位の近傍であって、使用者がグリップを把持したときに使用者の指が当接し得る部分に、凹部が形成されている請求項１記載の杖。
【請求項３】
上記杖本体のグリップが設けられた部位及びその近傍を被覆する弾性部材が配設されている請求項１又は２記載の杖。
【発明の詳細な説明】
【０００１】
【発明の属する技術の分野】
この発明は、歩行を補助するための杖に関するものである。
【０００２】
【従来の技術及び発明が解決しようとする課題】
脚部を負傷した場合等においては、歩行を補助するための器具として、杖が従来から提供されている。図３は、従来の一般的な杖（松葉杖）の正面図である。同図が示すように、一般的な従来の杖１は、本体フレーム２と、使用時に接地される石突部３と、使用者の脇の部分が載置される脇当部４とを有している。本体フレーム２には、歩行時に使用者が把持するグリップ５が設けられている。
杖１の使用者は、グリップ５を握ると共に脇を脇当部４に当て、石突部３を接地させた状態で、身体を脇当部４に載せながら腕を突っ張って前方へ身体全体を移動させることによって歩行する。
【０００３】
上記グリップ５は、本体フレーム２の軸方向（使用者の体重が作用する方向）に直交する方向に沿って配置されている。このことは、松葉杖に限らず、一般にグリップが設けられた杖について共通する。
ところで、人間は、腕を伸ばした状態で拳をつくると、親指を除く四指と手のひらとで形成されるループの軸方向が、前腕に対して直交せずに若干の傾きが生じる。したがって、杖１の使用者が本体フレーム２の軸方向に対して直交しているグリップ５を握り、前述のようにして杖１に身体を預けると、手首に負担がかかり、杖１を長時間使用した場合には、特に手首が疲労しやすかった。
【０００４】
この問題を解決するために、従来では、図４に示すようなプラットホームタイプの杖６が提供されている。この杖６では、使用者の前腕が杖６の上面７に載置されるので、使用者は前腕によって体重を支えることになる。したがって、使用者は手首が疲労することはない。
しかし、このタイプの杖６では、使用者の腕の方向と本体フレーム８の方向とが異なるため、使用者は、歩行しにくいという問題があった。
【０００５】
また、従来では、グリップが本体フレームに直交する方向に対して所定の角度だけ傾斜するように取り付けられている杖が提供されている（特許文献１参照）。しかし、この杖では、グリップが歩行方向前方に突出するように本体フレームに配置されているので、グリップの軸方向と、使用者の拳の軸方向とが一致せず、手首の負担を効果的に軽減することは困難であった。
【０００６】
【特許文献１】
特許第２７４６７９号公報
【０００７】
そこで、本発明の目的は、長時間使用しても手首が疲れにくく、使い勝手の良い杖を提供することである。
【０００８】
【課題を解決するための手段】
（１）  上記目的を達成するため、本願に係る杖は、歩行の際に使用者の脇が当接される脇当部が上端部に設けられた杖本体と、杖本体に設けられ、歩行の際に使用者が把持するグリップとを備え、グリップは、杖本体に対して歩行方向後方に突出するように突設されており、且つグリップの仮想軸線が歩行方向に対して角度θだけ上方に傾斜されており、角度θは、０＜θ≦４５°（ｄｅｇｒｅｅ）であることを特徴とするものである。
【０００９】
この構成によれば、使用者は、グリップを握りながら脇を脇当部に載せ、歩行方向へ体重を移動させながら歩行する。このとき、使用者の手は、腕をほぼ伸ばした状態で拳をつくることになるが、人体解剖学上、親指を除く四指と手のひらとで形成されるループの軸方向は、歩行方向前方に対していわゆる前下がりの傾斜が形成される。上記グリップは、杖本体から歩行方向後方に突設され、しかも、歩行方向に対して上方に角度θだけ傾斜されているから、グリップの仮想軸線（すなわちグリップの長手方向軸線）と上記ループの軸方向とがほぼ一致する。
【００１０】
（２）  上記杖本体のグリップが設けられた部位の近傍であって、使用者がグリップを把持したときに使用者の指が当接し得る部分に、凹部が形成されているのが好ましい。
杖が使用される場合に、使用者によっては、より安定して杖を保持するためにグリップを握ったときに人差し指等を杖本体に掛け回すこともある。このときに、杖本体と当該指とが局部的に当接し両者間の面圧が大きくなる傾向にある。
しかし、杖本体に上記凹部が設けられることにより、使用者が杖本体に指を掛け回した場合であっても、当該指と杖本体とが面接触し、両者間の面圧が低減される。これにより、使用者は、長時間歩行した場合であっても、指が疲労することがない。
【００１１】
（３）  また、上記杖本体のグリップが設けられた部位及びその近傍を被覆する弾性部材が配設されているのが好ましい。
この構成では、使用者が杖本体を把持したときに、使用者の手（特に指）が弾性部材に当接することになる。これにより、使用者は、長時間歩行した場合であっても、指に痛み等を感じることはなく、一層使い勝手の良い杖が提供される。
【００１２】
【発明の実施の形態】
以下、適宜図面が参照されつつ、好ましい実施形態に基づいて本発明が詳細に説明される。
【００１３】
図１は本発明の一実施形態に係る杖１０の正面図、図２は杖１０の一部断面要部拡大図である。
この杖１０は、たとえば脚が負傷した場合等に、歩行を補助するために使用される。杖１０は、杖本体１１と、脇当部１２と、石突部１３とを備えている。
本実施形態の特徴とするところは、杖本体１１にグリップ１６が設けられており、このグリップ１６が後述の構造を備えている点である。
【００１４】
杖本体１１は、真直な棒状部材により構成されている。具体的には、杖本体１１は、例えばアルミニウム製の丸棒等により形成される。もっとも、杖本体１１の材質は、他の金属、樹脂、木材等も採用され得る。また、杖本体１１の断面形状は、円形に限定されるものではなく、他の形状（例えば多角形状等）が採用されてもよい。
杖本体１１には、凹部１９，２０が形成されている。凹部１９は、杖本体１１の前面側、すなわち、杖１０が使用されたときの歩行方向（図中矢印１５の方向）側に設けられている。凹部２０は、杖本体１１の後面側、すなわち、杖１０が使用されたときの歩行方向と逆方向側に設けられている。より具体的には、グリップ１６は、後述されるグリップ本体２３を備えており、凹部１９は、グリップ本体２３が設けられた部位の上側近傍に形成され、凹部２０は、グリップ本体２３が設けられた部位の下側近傍に形成されている。
これら凹部１９，２０は、略円形に形成されており、これにより、杖本体１１にディンプルが形成された状態となっている。これら凹部１９は、直径が１０ｍｍ〜５０ｍｍ、深さが１ｍｍ〜１０ｍｍの範囲で適宜設定され得る。凹部１９，２０の作用効果については、後述される。
【００１５】
脇当部１２は、杖本体１１の上端部１４に設けられている。脇当部１２は、杖１０が使用される際に、使用者が脇を載せる部分である。脇当部１２は、フレーム１７とクッション部材１８とを備えている。
フレーム１７は、例えばアルミニウム等の金属により構成され、断面が略コ字状に形成されており、杖本体１１の上端部１４に固定されている。クッション部材１８は、フレーム１７の上面に固着されており、クッション部材１８の上面は、使用者が実際に脇を当てる載置面２２を構成している。
また、石突部１３は、杖本体１１の下端部に設けられている。石突部１３は、例えばゴム等により構成され、杖１０が使用される際に、石突部１３が地面と接触するときの衝撃が緩和される。
【００１６】
グリップ１６は、杖本体１１の所定位置、例えば、脇当部１２の上面２２から寸法Ａの位置に配設されている。この寸法Ａは、１５０ｍｍ〜５００ｍｍの範囲で適宜設定され得る。
グリップ１６は、グリップ本体２３と、杖本体１１を被覆する被覆部材２４（弾性部材）とを備えている。
グリップ本体２３は、アルミニウム等の金属のほか、樹脂、木材等により構成されている。グリップ本体２３は、杖１０が使用される際に使用者が握るものであり、使用者が握りやすいように略紡錘形に形成されている。グリップ本体２３の先端部２５は、断面が円形の棒状に形成されており、この先端部２５が杖本体１１に対して杖本体１１の径方向に貫通するように装着されている。当該先端部２５は、杖本体１１に溶接等により固着されているのが望ましい。
【００１７】
グリップ本体２３は、図が示すように、杖本体１１に対して後方側（歩行方向後方側）に突出するように設けられている。そして、杖本体１１に対して角度θだけ傾斜するように取り付けられている。具体的には、グリップ１６の仮想軸線２６（グリップ本体２３の仮想軸線２６）が、歩行方向２７（上記矢印１５の方向）に対して角度θだけ傾斜しており、グリップ本体２３は、歩行方向後方側に上向きに角度θだけ起立している。
グリップ本体２３は、この杖１０では、角度θは、１５°（ｄｅｇｒｅｅ）に設定されている。ただし、この角度θは、０＜θ≦４５°の範囲で適宜設定され得る。より好ましくは、この角度θは、５°≦θ≦３５°の範囲で設定される。グリップ１６がこのように傾斜していることによる作用効果については、後述される。
【００１８】
被覆部材２４は、チューブ状に形成されている。被覆部材２４は、例えばクロロプレンゴム（ＣＲ）により構成されるが、これに限定されるものではなく、他の種々のゴム、その他の弾性部材が採用され得る。
被覆部材２４の略中央部には貫通孔２８が設けられている。上記グリップ本体２３は、この貫通孔２８に挿通され、杖本体１１に挿入されている。
また、被覆部材２４の所定位置には、窪み部２９，３０が形成されている。この窪み部２９，３０は、それぞれ、杖本体１１に設けられた凹部１９，２０と係合しており、凹部１９に窪み部２９が被せられた状態となり、凹部２０に窪み部３０が被せられた状態となっている。
【００１９】
この杖１０は、次のようにして使用される。
図１において、使用者は、グリップ１６を握りながら脇を脇当部１２に載せ、歩行方向（矢印１５の方向）へ体重を移動させながら歩行する。このとき、グリップ１６の位置が脇当部１２の載置面２２から寸法Ａの位置に配置されているから、使用者は、腕をほぼ伸ばした状態で拳をつくることになる。そしてこの状態では、人体解剖学上、親指を除く四指と手のひらとで形成されるループの軸方向は、矢印１５の方向（歩行方向前方）に対していわゆる前下がりの傾斜が形成される。
【００２０】
一方、上記グリップ１６は、杖本体１１から歩行方向後方に突設され、しかも、上方に角度θだけ傾斜されているから、グリップ１６の仮想軸線２６と上記ループの軸方向とがほぼ一致する。したがって、使用者は、拳を作った状態で自然にグリップ１６を握ることができ、その結果、使用者が連続歩行した場合であっても、使用者の手首に大きな負担がかかることはない。
【００２１】
ところで、使用者によっては、より安定して杖１０を保持するためにグリップ１６を握ったときに人差し指等を杖本体１１に掛け回すことがある。このとき、杖本体１１と当該指とが局部的に当接し両者間の面圧が大きくなる傾向にあり、場合によっては、使用者は、指に痛みを覚えるおそれがある。
しかし、本実施形態に係る杖１０では、グリップ１６の被覆部材２４に上記窪み部２９，３０が設けられているから、使用者が前述のように指を掛け回した場合であっても、指が窪み部２９，３０に嵌り込むので、両者間の面圧が大きくならない。したがって、使用者は、長時間歩行した場合であっても、指が疲労して痛みを感じることはない。
凹部１９，２０の内面形状及び窪み部２９，３０の内面形状は、特に限定されるものではないが、使用者の指の外形形状に沿うように形成されているのが好ましい。その場合には、当該指と杖本体１１とがぴったりと面接触するため、指の疲労が効果的に抑制される。
【００２２】
特に本実施形態では、被覆部材２４がクロロプレンゴムにより構成されているから、きわめて柔らかく且つ手触りが良いので、使用者の指の疲れは効果的に抑制されるという利点がある。
さらに、上記窪み部２９，３０は、杖本体１１に設けられた凹部１９，２０に嵌り込むように配置されているから、窪み部２９，３０の位置が杖本体１１に対してずれることがなく、杖１０は、より使い勝手のよいものとなる。
【００２３】
なお、本実施形態では、被覆部材２４が設けられているが、これが省略されてもよい。その場合であっても、杖本体１１に凹部１９，２０が設けられているから、使用者の指と杖本体１１との間の面圧が高くなることが抑制されるので、使用者の指の疲労が抑えられる。
また、被覆部材２４の窪み部２９，３０が省略されてもよい。その場合であっても、使用者の指は、弾性体である被覆部材２４を介して杖本体１１と当接するから、使用者の指の疲労は、効果的に抑えられる。
さらに、杖本体１１の凹部１９，２０が省略されてもよい。その場合であっっても、使用者の指は、弾性体である被覆部材２４を介して杖本体１１と当接するから、使用者の指の疲労は、効果的に抑えられる。
また、本実施形態では、杖本体１１が単一の棒状部材からなる構成であるが、これに限定されるものではなく、杖本体が松葉状等に形成されていてもよいことは勿論である。
【００２４】
【発明の効果】
以上のように本発明によれば、杖の使用者が歩行の際にグリップを握ったときは、グリップの長手方向軸線）が使用者の親指を除く四指と手のひらとで形成されるループの軸方向とほぼ一致するので、使用者が連続歩行した場合であっても、使用者の手首に大きな負担がかかることはない。その結果、長時間使用しても手首が疲れにくく、歩行しやすい杖が提供される。
【図面の簡単な説明】
【図１】図１は、本発明の一実施形態に係る杖の正面図である。
【図２】図２は、発明の一実施形態に係る杖の一部断面要部拡大図である。
【図３】図３は、従来の一般的な杖の正面図である。
【図４】図４は、従来のプラットホームタイプの杖の正面図である。
【符号の説明】
１０・・・杖
１１・・・杖本体
１２・・・脇当部
１３・・・石突部
１４・・・上端部
１５・・・矢印
１６・・・グリップ
１９・・・凹部
２０・・・凹部
２３・・・グリップ本体
２４・・・被覆部材
２５・・・先端部
２６・・・仮想軸線
２７・・・歩行方向
２８・・・貫通孔
２９・・・窪み部
３０・・・窪み部
【図１】
2004173916.tif 000003
【図２】
2004173916.tif 000004
【図３】
2004173916.tif 000005
【図４】
2004173916.tif 000006